(57)【要約】【課題】光学式ピックアップの移動動作をガイドするガイドシャフトの支持装置を提供する。【解決手段】ガイドシャフト１０の一端が挿入される支持孔が形成されているガイドシャフト支持部９ｂが設けられているいるとともに固定基板１に形成されている螺子孔に取り付け螺子１２を螺合することによって該固定基板１に取り付けられるガイドシャフト保持部材９と、該ガイドシャフト保持部材９に形成されているとともに前記固定基板１に形成されているガイド孔に挿入されるガイド用突起と、前記ガイドシャフト保持部材９に形成されている円柱状孔内に前記取り付け螺子に巻装するべく挿入されるコイルスプリングとより構成されている。【選択図】　　図１
2004039099.tif 000002
【特許請求の範囲】
【請求項１】
ガイドシャフトの一端が挿入される支持孔が形成されているガイドシャフト支持部が設けられているいるとともに固定基板に形成されている螺子孔に取り付け螺子を螺合することによって該固定基板に取り付けられるガイドシャフト保持部材と、該ガイドシャフト保持部材に形成されているとともに前記固定基板に形成されているガイド孔に挿入されるガイド用突起と、前記ガイドシャフト保持部材に形成されている円柱状孔内に前記取り付け螺子に巻装するべく挿入されるコイルスプリングとより成り、前記ガイドシャフト保持部材を前記ガイド用突起の案内により前記固定基板面に対して垂直方向への変位を可能にするとともに前記コイルスプリングにて固定基板面より離間する方向へ付勢するようにしたことを特徴とするガイドシャフト支持装置。
【請求項２】
前記ガイドシャフト保持部材に形成されているガイドシャフト支持部の位置を規制する規制部を固定基板に設けたことを特徴とする請求項１に記載のガイドシャフト支持装置。
【発明の詳細な説明】
【０００１】
【発明の属する技術分野】
本発明は、ディスクに記録されている信号を読み取る光学式ピックアップの移動をガイドするガイドシャフトの支持装置に係る。
【０００２】
【従来の技術】
光学式ピックアップを用いてディスクに記録されている信号の読み取り動作を光学的に行う光学式ディスクプレーヤーが普及しているが、斯かる光学式ピックアップは、ディスクの径方向へ電動機の回転駆動力によって移動されるように構成されている。そして、斯かる光学式ピックアップは、ディスクに記録されている信号を正確に読み出す必要があるため、ディスクの径方向への移動を精度良く行う必要があり、一般には固定基板に固定されているガイドシャフトによって移動動作がガイドされるように構成されている。斯かるガイドシャフトの支持装置としては、例えば特開平７−５７４０４号公報に記載されたものがある。
【０００３】
【発明が解決しようとする課題】
光学式ディスクプレーヤーとしては、ＣＤプレーヤーが一般に多く普及しているが、斯かるＣＤプレーヤーの中には、音楽等の信号を再生聴取するオーディオ用のプレーヤーとコンピューターと組み合わせて使用されるＣＤ−ＲＯＭプレーヤーがある。ＣＤ−ＲＯＭプレーヤーの中には、パーソナルコンピューターの内部に組み込まれて使用されるものがあり、斯かるプレーヤーは小型化、特に薄型化が要求されている。
【０００４】
また、ＣＤ−ＲＯＭプレーヤーでは、信号の読み出し動作を高速にて行う必要があるため、規定の線速度に対して８倍、１２倍及び１６倍等の高速にてディスクを回転させた状態で信号の再生動作を行うようにした製品が発売されている。斯かる高速再生機能を備えたプレーヤーでは、ディスクから信号の読み出し動作を行うためには光学式ピックアップとディスクの信号面との関係を正確な状態に調整する必要がある。
【０００５】
本発明は、光学式ピックアップとディスクの信号面との関係を正確な状態に調整することが出来るガイドシャフト支持装置を提供しようとするものである。
【０００６】
【課題を解決するための手段】
本発明の支持装置は、ガイドシャフトの一端が挿入される支持孔が形成されているガイドシャフト支持部が設けられているとともに固定基板に形成されている螺子孔に取り付け螺子を螺合することによって該固定基板に取り付けられるガイドシャフト保持部材と、該ガイドシャフト保持部材に形成されているとともに前記固定基板に形成されているガイド孔に挿入されるガイド用突起と、前記ガイドシャフト保持部材に形成されている円柱状孔内に前記取り付け螺子に巻装するべく挿入されるコイルスプリングとより構成されている。
【０００７】
【実施例】
図１は本発明の支持装置を示す要部の底面図、図２は図１におけるＡ−Ｂ拡大断面図、図３は固定基板を示す要部の底面図、図４は要部の斜視図である。
【０００８】
１はディスクを回転駆動する電動機２等が固定されている固定基板であり、螺子孔３、４、５及びガイド孔６，７，８が形成されている。９は第１ガイドシャフト１０の一端が挿入される支持孔９ａが形成されているガイドシャフト支持部９ｂが設けられているとともに前記固定基板１に形成されているガイド孔６に挿入されるガイド用突起９ｃが一体成形されている第１ガイドシャフト保持部材であり、コイルスプリング１１が挿入される円柱状孔９ｄが形成されているとともに図４において上面に設けられている螺子孔９ｅを通して前記固定基板１に形成されている螺子孔３に取り付け螺子１２を螺合させることによって固定基板１に取り付けられるように構成されている。
【０００９】
１３は前記第１ガイドシャフト１０の他端が挿入される支持孔（図示せず）が形成されているガイドシャフト支持部１３ｂが設けられているとともに前記固定基板１に形成されているガイド孔７に挿入されるガイド用突起１３ｃが一体成形されている第２ガイドシャフト保持部材であり、コイルスプリング１４が挿入される円柱状孔１３ｄが形成されているとともに図４において上面に設けられている螺子孔１３ｅを通して前記固定基板１に形成されている螺子孔４に取り付け螺子１５を螺合させることによって固定基板１に取り付けられるように構成されている。
【００１０】
前記第１ガイドシャフト１０は、その両端が各々前記第１ガイドシャフト保持部材９に設けられている支持孔９ａ及び第２ガイドシャフト保持部材１３に設けられている支持孔に挿入された状態にて前記第１ガイドシャフト保持部材９及び第２ガイドシャフト保持部材１３を取り付け螺子１２及び１５の螺子孔３及び４への螺合によって固定基板１に取り付けられる。図１は斯かる動作によって取り付けられた状態を示すものである。
【００１１】
１６は一端が固定基板１に取り付け螺子１７によって固定支持されるとともに他端が前述した第１ガイドシャフト保持部材９と同一構成の第３ガイドシャフト保持部材１８に設けられているガイドシャフト支持部１８ｂに形成されている支持孔に挿入させた状態にて、該第３ガイドシャフト保持部材１８を取り付け螺子１９を固定基板１に形成されている螺子孔５に螺合させることによって前記固定基板１に取り付けられる第２ガイドシャフトであり、固定基板１に形成されている規制片１Ａ及び規制用凸部１Ｂによって取り付け位置が規制されるように構成されている。
【００１２】
前述したように第１ガイドシャフト１０の両端を支持する第１ガイドシャフト保持部材９及び第２ガイドシャフト保持部材１３は固定基板１に取り付けられるが、前記固定基板１には前記第１ガイドシャフト保持部材９に形成されているガイド支持部９ｂの両側と当接して位置決めを成す第１規制部１Ｃ及び第２規制部１Ｄが形成されている。前記第２規制部１Ｄは図１に示したように第２ガイドシャフト保持部材１３に形成されているガイド支持部１３ｂと当接してその位置決めを成すように設けられている。１Ｅは、固定基板１に形成されている第３規制部であり、前記第２ガイドシャフト保持部材１３に形成されているガイド支持部１３ｂの第２規制部１Ｄと当接する位置の反対側と当接してその位置決めを成すように設けられている。
【００１３】
また、前述したように第２ガイドシャフト１６は、第３ガイドシャフト保持部材１８によって固定基板１に取り付けられるが、前記固定基板１には前記第３ガイドシャフト保持部材１８に形成されているガイド支持部１８ｂの両側と当接して位置決めを成す第４規制部１Ｆ及び第５規制部１Ｇが形成されている。
【００１４】
以上に説明したように本発明における第１ガイドシャフト１０及び第２ガイドシャフト１６は固定基板１に取り付けられるが、その変位動作について図２を参照して説明する。図２は図１におけるＡ−Ｂ拡大断面図である。斯かる構成において、第１ガイドシャフト保持部材９の上面に形成されている螺子孔９ｅの径は取り付け螺子１２の径よりも大にされ、また固定基板１に形成されているガイド孔６の径は第１ガイドシャフト保持部材９に形成されているガイド用突起９ｃの径よりも大になるように設定されている。
【００１５】
斯かる構成によれば、前記第１ガイドシャフト保持部材９は、コイルスプリング１１によって常時矢印Ａ方向へ付勢されているとともに前記取り付け螺子１２及びガイド用突起９ｃに案内されながら矢印Ａ及びＢ方向への変位を可能に固定基板１に対して取り付けられていることになる。従って、取り付け螺子１２を時計方向又は反時計方向へ回すことによって前記第１ガイドシャフト保持部材９を固定基板１の面に対して垂直方向へ変位させることが出来る。
【００１６】
前述したように取り付け螺子１２を回すことによって前記第１ガイドシャフト保持部材９を固定基板１の面に対する垂直方向の位置を変位調整することが出来るので、第１ガイドシャフト１０の一端の高さを調整することが出来る。同様に取り付け螺子１５を回すことによって前記第２ガイドシャフト保持部材１３を固定基板１の面に対する垂直方向の位置を変位調整することが出来るので、第１ガイドシャフト１０の他端の高さを調整することが出来る。更に取り付け螺子１９を回すことによって前記第３ガイドシャフト保持部材１８を固定基板１の面に対する垂直方向の位置を変位調整することが出来るので、第２ガイドシャフト１６の一端の高さを調整することが出来る。
【００１７】
以上に説明したように取り付け螺子１２、１５及び１９を回すことによって第１ガイドシャフト１０及び第２ガイドシャフト１６の傾きを調整することが出来るので、前記第１ガイドシャフト１０及び第２ガイドシャフト１６によってディスクの径方向への変位を案内されるべく設けられている光学式ピックアップより照射されるレーザー光をディスク面に最適な角度にて照射されるように調整する動作を正確に行うことが出来る。
【００１８】
【発明の効果】
本発明のガイドシャフト支持装置は、ガイドシャフトの一端が挿入される支持孔が形成されているガイドシャフト支持部が設けられているいるとともに固定基板に形成されている螺子孔に取り付け螺子を螺合することによって該固定基板に取り付けられるガイドシャフト保持部材と、該ガイドシャフト保持部材に形成されているとともに前記固定基板に形成されているガイド孔に挿入されるガイド用突起と、前記ガイドシャフト保持部材に形成されている円柱状孔内に前記取り付け螺子に巻装するべく挿入されるコイルスプリングとを設け、前記ガイドシャフト保持部材を前記ガイド用突起の案内により前記固定基板面に対して垂直方向への変位を可能にするとともに前記コイルスプリングにて固定基板面より離間する方向へ付勢するようにしたので、ガイドシャフトの取り付けを容易に行うことが出来るとともに光学式ピックアップより照射されるレーザー光をディスク面に最適な角度にて照射されるように調整する動作を正確に行うことが出来る。
【００１９】
また、本発明は、ガイドシャフト保持部材に形成されているガイドシャフト支持部の位置を規制する規制部を固定基板に設けたので、ガイドシャフト保持部材を正確な位置に保持することが出来る。
【図面の簡単な説明】
【図１】本発明の支持装置を示す要部の底面図である。
【図２】図１におけるＡ−Ｂ拡大断面図である。
【図３】本発明に係る固定基板を示す要部の底面図である。
【図４】本発明の支持装置の要部を示す斜視図である。
【符号の説明】
１　　　　　　　　　　固定基板
３、４，５　　　　　　螺子孔
６，７，８　　　　　　ガイド孔
９　　　　　　　　　　第１ガイドシャフト保持部材
１０　　　　　　　　　　第１ガイドシャフト
１１、１４　　　　　　　コイルスプリング
１２、１５、１９　　　　取り付け螺子
１３　　　　　　　　　　第２ガイドシャフト保持部材
１６　　　　　　　　　　第２ガイドシャフト
【図１】
2004039099.tif 000003
【図２】
2004039099.tif 000004
【図３】
2004039099.tif 000005
【図４】
2004039099.tif 000006